(57)【要約】【課題】多数の駆動源を搭載せずに、種々の形態の原稿の読取が可能なシートスルースキャナとフラットベッドスキャナの両方の機能を併せ持つ使い勝手の良い画像読取装置を低コストで実現する。【解決手段】画像読取装置は、センサを含む読取手段と、原稿台に置かれた原稿を読み取るために、前記読取手段を移動させる駆動手段と、所定の位置に停止した前記読取手段に対して前記原稿を移動させて読み取るために、前記原稿を搬送する搬送手段と、前記読取手段が前記所定の位置に停止した状態において、前記駆動手段の駆動力を前記搬送手段へ伝達する伝達手段と、前記読取手段が前記所定の位置から移動することを許可または規制する切換手段と、を有する。【選択図】図３
2014023061.tif 000002
【特許請求の範囲】
【請求項１】
センサを含む読取手段と、
原稿台に置かれた原稿を読み取るために、前記読取手段を移動させる駆動手段と、
所定の位置に停止した前記読取手段に対して前記原稿を移動させて読み取るために、前記原稿を搬送する搬送手段と、
前記読取手段が前記所定の位置に停止した状態において、前記駆動手段の駆動力を前記搬送手段へ伝達する伝達手段と、
前記読取手段が前記所定の位置から移動することを許可または規制する切換手段と、
を有することを特徴とする画像読取装置。
【請求項２】
前記駆動手段の駆動源が前記読取手段に搭載され、前記駆動源は前記読取手段と共に移動することを特徴とする、請求項１に記載の画像読取装置。
【請求項３】
前記切換手段は、前記読取手段の移動によって切換がなされることを特徴とする、請求項１または２に記載の画像読取装置。
【請求項４】
前記切換手段は、
前記読取手段の移動に伴って上下動するスイッチ部材と、
前記スイッチ部材が上下動するごとに所定角度だけ回転し、前記読取手段に設けられた突起に当接するロータと、
前記ロータを回転可能に支持するステータと、
前記スイッチ部材と前記ロータを一方向に付勢する付勢手段と、を有し、
前記読取手段は、その位置に応じて前記スイッチ部材と係合する押圧部を有することを特徴とする、請求項１から３のいずれか１項に記載の画像読取装置。
【請求項５】
前記読取手段に対して前記切換手段が一対設けられ、前記読取手段には前記一対の切換手段のそれぞれに対応する位置に前記押圧部が設けられており、
前記読取手段の移動に伴い前記切換手段の切換がなされることを特徴とする、請求項４に記載の画像読取装置。
【請求項６】
前記読取手段は前記所定の位置にあるときに、前記搬送手段により移動される原稿を読み取ることを特徴とする、請求項１から５のいずれか１項に記載の画像読取装置。
【請求項７】
センサを含む読取手段と、
原稿台に置かれた原稿を読み取るために前記読取手段を移動させる、前記読取手段に搭載された駆動源を含む駆動手段と、
所定の位置に停止した前記読取手段に対して、前記原稿を移動させて読み取るために、前記原稿を搬送させる搬送手段と、
前記読取手段が前記所定の位置に停止した状態において、前記駆動源の駆動力を前記搬送手段へ伝達する伝達手段と、
を有することを特徴とする画像読取装置。
【請求項８】
前記駆動源を駆動させても、前記所定の位置に前記読取手段が静止するように前記読取手段の移動を規制する手段
をさらに有することを特徴とする、請求項７に記載の画像読取装置。
【発明の詳細な説明】
【技術分野】
【０００１】
本発明は画像読取装置に関する。
【背景技術】
【０００２】
複写機等の原稿読取装置として、２通りの原稿読取態様が選択できるものが知られている。第１の原稿読取態様は、原稿台上に載置された原稿を、その下方に配置された読取センサを移動しながら読取るフラットベッドスキャナ（ＦＢＳ）による静止原稿読取である。第２の原稿読取態様は、読取センサを所定の位置に停止させた状態で自動給送装置（ＡＤＦ）により原稿を自動給送しながら、原稿を読み取る搬送原稿読取である。
【０００３】
この種の原稿読取装置は、本体ユニットと、本体ユニットに回動自在に支持された開閉ユニットと、を備える。本体ユニットは、原稿台や読取センサを備える。開閉ユニットは圧板やＡＤＦを備え、原稿台を開閉する。特許文献１には、ＡＤＦに固有の駆動源を減らして装置のコストを抑えるため、本体ユニットが備える駆動源の駆動力をＡＤＦに伝達する伝達ユニットを設けたものが開示されている。
（特許文献１参照）。
【先行技術文献】
【特許文献】
【０００４】
【特許文献１】米国特許出願公開第２００８／０２６６６１４号明細書
【発明の概要】
【発明が解決しようとする課題】
【０００５】
特許文献１では、共通の駆動源でフラットベッドスキャナとシートスルースキャナを動作させる。しかし、そのための機構が複雑であり、製造コストの低減、および装置小型化が困難である。
【０００６】
本発明は、上記課題に鑑みてなされ、その目的は、多数の駆動源を搭載せずに、種々の形態の原稿の読取が可能なシートスルースキャナとフラットベッドスキャナの両方の機能を併せ持つ使い勝手の良い画像読取装置を低コストで実現することである。
【課題を解決するための手段】
【０００７】
上記課題を解決し、目的を達成するために、本発明の画像読取装置は、センサを含む読取手段と、原稿台に置かれた原稿を読み取るために、前記読取手段を移動させる駆動手段と、所定の位置に停止した前記読取手段に対して前記原稿を移動させて読み取るために、前記原稿を搬送する搬送手段と、前記読取手段が前記所定の位置に停止した状態において、前記駆動手段の駆動力を前記搬送手段へ伝達する伝達手段と、前記読取手段が前記所定の位置から移動することを許可または規制する切換手段と、を有する。
【発明の効果】
【０００８】
本発明によれば、多数の駆動源を搭載せずに、種々の形態の原稿の読取が可能なシートスルースキャナとフラットベッドスキャナの両方の機能を併せ持つ使い勝手の良い画像読取装置を低コストで実現することができる。
【図面の簡単な説明】
【０００９】
【図１】本実施形態の画像読取装置の外観図。
【図２】本実施形態の画像読取装置のカバーを開けた状態の外観図。
【図３】本実施形態の画像読取装置におけるフラットベッドスキャナの外観図。
【図４】本実施形態の画像読取装置におけるフラットベッドスキャナの外観図。
【図５】本実施形態の画像読取部の外観図。
【図６】本実施形態の画像読取部の切換機構の外観図。
【図７】本実施形態の画像読取部の切換機構の外観図。
【図８】本実施形態の切換機構の動作を説明する図。
【図９】本実施形態の切換動作を説明する図。
【図１０】本実施形態の切換動作を説明する図。
【図１１】本実施形態の画像読取部と切換機構の位置関係を示す断面図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１１】
［実施形態１］以下、本発明の画像読取装置を、プリンタ等の画像出力装置に搭載した実施形態について説明する。
【００１２】
＜装置構成＞図１及び図２を参照して、本発明に係る実施形態の画像読取装置の構成及び機能の概略について説明する。なお、本実施形態では、画像出力装置１０１と画像読取装置１００を組み合わせた複合機を例示しているが、画像読取装置１００単体でも本発明を実現可能である。
【００１３】
５０は原稿を静止させて、画像データを取得するフラットベッドスキャナ（以下、ＦＢＳ）で、ブック原稿や大判原稿などに対応した画像読取ユニットである。５１は定形の帳票を複数搭載し、それらを１枚ずつ分離、搬送する原稿搬送ユニット（ＡＤＦとも呼ばれる）で、ＦＢＳ５０の一部と組み合わせることによってシートスルースキャナ（以下、ＳＴＳ）として機能する。ＳＴＳは原稿の両面読み取りを可能とするための原稿反転機構を備えている。
【００１４】
図１及び図２において、ユーザがＦＢＳ５０を操作する場合、まず、原稿搬送ユニット５１を開いた状態（図２）で、原稿台である原稿載置面６０に原稿を置いた後、原稿搬送ユニット５１を閉じた状態（図１）にする。次に、操作部７０や図示しない無線もしくは有線で接続された外部装置から画像読取指令を装置１００に送り、画像データの読み取りを完了する。なお、本実施形態のように画像読取装置１００と画像出力装置１０１とを組み合わせて構成している場合、読み取った画像データを画像出力装置１０１にて印刷し、元の原稿に対する複写帳票を作成することができる。
【００１５】
ユーザがＳＴＳを使用する場合、まず、複数帳票載置台７５を開いて原稿を置く。次に操作部７０や図示しない無線もしくは有線で接続された外部装置から画像読取指令を装置１００に送り、画像データの読み取り完了する。この場合も、上記同様に元の原稿対する複写帳票を作成するような構成としてもよい。
【００１６】
＜フラットベッドスキャナの構成＞図３乃至図５を参照して、本実施形態の画像読取装置１００に搭載されるＦＢＳ５０の構成について説明する。
【００１７】
図３及び図４において、画像読取部１０は、原稿に光を当て、なおかつ原稿からの反射光を結像し、電気信号に変換する読取センサ１１を有する。読取センサ１１はラインセンサ（イメージセンサ）である。また、画像読取部１０は、モータ等の駆動源１５と、駆動源１５の出力軸に固定されたウォームギア１６と噛み合う２段ギア２０を有する。さらに、画像読取部１０は、読取センサ１１、駆動源１５、２段ギア２０を保持するホルダ１２を有する。ホルダ１２の長手方向両端部には突起１７、１８が一箇所ずつ取り付けられている。突起１７は箱型、突起１８は凸型形状であり、これらの機能については後述する。
【００１８】
３０は断面凹状の画像読取暗箱（以下、暗箱）であり、暗箱３０には２段ギア２０のうち、ウォームギア１６と噛み合わない歯車と噛み合うラック３１が形成されている。このような構成において、まず、駆動源１５に不図示の配線を介して電力が供給されると、駆動源１５に取り付けられたウォームギア１６が回転駆動され、それと噛み合う２段ギア２０が回転する。さらに２段ギア２０は暗箱３０に形成されたラック３１と噛み合っているので、結果として画像読取部１０は暗箱３０の中をＡ方向に往復移動する。
【００１９】
図３は、画像読取部１０をＦＢＳ５０の画像読取領域に移動させたときの状態を示している。ラック３１を一部切り欠いた部分に伝達ギア３２が設けられている。ラック３１のピッチ線上に、伝達ギア３２のピッチ円を接して配置することで、図３から図４において、２段ギア２０の歯車のうちラック３１と噛み合う歯車は、伝達ギア３２へとその噛み合いを移動させることができる。
【００２０】
なお、伝達ギア３２は不図示の駆動ギア列と噛み合って、原稿搬送できるように駆動力を原稿搬送ユニット５１へ伝達する。
【００２１】
図４は、ＳＴＳの画像読取位置に画像読取部１０を移動した状態を示している。ＳＴＳの場合には、画像読取部１０を停止した状態で、原稿搬送ユニット５１によって原稿帳票を搬送しながら画像の読み取りを行う。ＦＢＳ５０の場合は、画像読取部１０をＡ方向に移動させながら、原稿載置面６０に載置された原稿の読み取りを行う。
【００２２】
画像読取部１０は、その長手方向両端部に対応する位置に設けられた一対の切換機構４０により移動が規制又は許可される。切換機構４０は暗箱３０の底面に固定されている。
【００２３】
図６は、切換機構４０の詳細な構成を示している。切換機構４０は、スイッチ部材４１、ロータ４２、ステータ４３、及び押圧部材４４を備える。
【００２４】
スイッチ部材４１は、図６（ａ）に示すように、円筒面と円錐面を組み合わせたような形状を有し、円筒部４１ｃの下端部に６０°のピッチで２等辺三角形状のカム面４１ａが形成されている。また、円筒部４１ｃには突起４１ｂが同様に６０°のピッチで形成されている。
【００２５】
ロータ４２は、図６（ｂ）に示すように、中空円筒状の内部に直角三角形状のカム面４２ａが周方向に６０°のピッチで形成されている。また、ロータ４２には１２０°刻みで突起４２ｂが形成されている。
【００２６】
ステータ４３は、図６（ｃ）に示すように、中空円筒状の内部に傾斜するカム面４３ａとスリット４３ｂが周方向に６０°のピッチで形成されている。また、カム面４３ａはステータ４３の円筒内面４３ｃを形成している。また、ステータ４３の円筒外面４３ｄには係止部４３ｅが形成されている。
【００２７】
押圧部材４４は、図６（ｄ）に示すように、ロータ４２を押圧するバネ４５と、バネ４５の一端部を保持するフランジ部４４ｂと、バネ４５の他端部を保持するストッパ４６と、を有する。フランジ部４４ｂには突起部４４ａが設けられている。ストッパ４６は、ステータ４３の係止部４３ｅに係止され、押圧部材４４をバネ４５の押圧方向に案内する。
【００２８】
図７は図６のスイッチ部材４１、ロータ４２、ステータ４３、及び押圧部材４４を組み合わせた構造を示している。
【００２９】
図７（ａ）に示すように、スイッチ部材４１のカム面４１ａはロータ４２のカム面４２ａと接触している。また図７（ｂ）に示すようにスイッチ部材４１の突起４１ｂはステータ４３のスリット４３ｂに係合している。さらにスイッチ部材４１は、円筒部４１ｃがステータ４３の円筒内面４３ｃによって同軸に支持されている。また、図７（ｃ）に示すように、ロータ４２のカム面４２ａはステータ４３のカム面４３ａと接触している。さらに、ロータ４２の円筒内面４２ｃは、ステータ４３の円筒外面４３ｄによって、同軸に案内されかつ回転可能とされている。
【００３０】
次に、図８を参照して切換機構４０の動作について説明する。
【００３１】
図８（ａ）でバネ４５が押圧部材４４のフランジ部４４ｂを上方へ押圧すると、押圧部材４４の突起部４４ａがロータ４２の中央下部を押圧し、ロータ４２が上方に移動する。さらにロータ４２のカム面４２ａがスイッチ部材４１のカム面４１ａを押し上げることでスイッチ部材４１が押し上げられる。
【００３２】
押圧されるロータ４２はカム面４２ａがステータ４３のカム面４３ａとスリット４３ｂの一方の壁４３ｂｋと接した状態で停止する（図７（ｃ））。またスイッチ部材４１は、カム面４１ａがロータ４２のカム面４２ａに当接した状態で停止する（図７（ａ））。なお、この状態でストッパ４６はバネ４５によって下方に付勢されるが、ステータ４３の係止部４３ｅに突き当たることで停止されている。
【００３３】
図８（ｂ）でバネ４５に抗してスイッチ部材４１を下方に押圧していくと、カム面４１ａがロータ４２のカム面４２ａを押圧し、さらに押圧部材４４のフランジ部４４ｂを押し下げて、バネ４５が収縮してフランジ部４４ｂとストッパ４６の距離が近づいていく。
【００３４】
図８（ｃ）でロータ４２はカム面４２ａの縦壁４２ａｋとステータ４３のスリット４３ｂの壁４３ｂｋとの当接による軸まわりの回転方向の規制が解かれる。これにより、ロータ４２は、カム面４２ａとステータ４３のカム面４３ａが当接しながら螺旋状に回転する。すなわち、スイッチ部材４１をあるところまで押し下げると、ロータ４２とステータ４３のカム面４２ａ、４３ａ同士の当接による軸まわりの回転方向の係合が外れ、ロータ４２がＢ方向に回転する。なお、この回転動作は、断面図に示すようにスイッチ部材４１の上方への移動に伴い、スイッチ部材４１のカム面４１ａとステータ４３のカム面４３ａの交差点にロータ４２のカム面４２ａの縦壁４２ａｋとカム面４１ａの先端部が沿うかたちで行われる。
【００３５】
図８（ｄ）でスイッチ部材４１がバネ４５によって元の位置に戻ると、ロータ４２が所定角度回転し、結果として、前回のカム面４２ａと６０°位相の異なる次のカム面が壁４３ｂｋで停止される。
【００３６】
なお、図８（ｃ）において、切換機構４０はロータ４２を外部からＢ方向に回しても回転せず、Ｂ方向と反対方向に回すと螺旋状に回転する。
【００３７】
以上説明したように、切換機構４０は、スイッチ部材４１を上下方向に一往復させると、ロータ４２が一方向に６０°回転し、ロータ４２に１２０°ごとに設けた突起４２ｂが、ステータ４３に対して出入りする構成となっている。
【００３８】
＜切換動作＞次に、図９乃至図１１を参照して、切換機構４０が画像読取部１０の移動を許可または停止させる動作について説明する。
【００３９】
図９（ａ）〜（ｆ）並びに図１０（ｇ）〜（ｌ）は、図３及び図４に示すＦＢＳ５０を上方から見た状態を示している。また、図１１は図９（ａ）の画像読取部の一部をＣ方向から見た断面図である。
【００４０】
図１１において、画像読取部１０は図中左右方向に移動可能に構成されている。画像読取部１０の移動に伴い、ホルダ１２の下部に設けられた突起１７、１８も移動する。突起１７は切換機構４０のロータ４２の突起４２ｂと図中上下方向で係合する位置関係となっている。同様に、突起１８はスイッチ部材４１の円錐面と係合する位置関係となっている。
【００４１】
また、図９及び図１０に示すように、切換機構４０は図中上下方向に一対設けられている。これら切換機構４０に対して、図中上下方向で、スイッチ部材４１と係合する位置に突起１８、ロータ４２と係合する位置に突起１７がそれぞれ配置される。
【００４２】
この構成によって、画像読取部１０が図９（ａ）でＤ方向に移動させると、切換機構４０が作動できる。なお、図９及び図１０において、切換機構４０や突起１７、１８が画像読取部１０の下方に位置し、隠れた状態となる場合があるが、説明の便宜上、実線で示している。
【００４３】
ここで、図９及び図１０を参照して、本実施形態の切換機構４０による切換動作について説明する。
【００４４】
図９（ａ）では、画像読取部１０は待機位置にあり、Ｅ方向にはＦＢＳの画像読取領域があり、ＦＢＳ側の画像読取動作は、画像読取部１０の待機位置からＥ方向への往復移動によって行われる。
【００４５】
Ｄ方向にはＳＴＳの画像読取位置（所定の位置）が存在する。画像読取部１０がＳＴＳの画像読取位置に停止し、そこで静止した状態でＳＴＳによる画像読取が行われる。
【００４６】
ＳＴＳの画像読取動作は、まず装置にＳＴＳの画像読取指令が通知されると、画像読取部１０の駆動源１５に電力が供給され、２段ギア２０がＦ方向に回転駆動される。２段ギア２０の回転によって、２段ギア２０が噛み合うラック３１に沿って、画像読取部１０が待機位置からＤ方向に移動を開始する。
【００４７】
図９（ｂ）で画像読取部１０が図示の位置まで移動すると、切換機構４０のスイッチ部材４１と突起１８が係合し、スイッチ部材４１が押し下げられる。
【００４８】
図９（ｃ）でさらに画像読取部１０がＤ方向に移動すると、突起１８の押し下げ量が減少するため、切換機構４０のスイッチ部材４１が上昇する。このようなスイッチ部材４１の上下動によって、図１１中の上下方向に１往復動作するため、図９（ａ）の状態からロータ４２が６０°回転する。このとき、ロータ４２の突起４２ｂは画像読取部１０の突起１７と図９中の上下方向で係合する位置関係となるため両者が突き当たり、Ｄ方向に進もうとする画像読取部１０を停止させる。この停止状態（静止状態）で、画像読取部１０の２段ギア２０は、ラック３１の伝達ギア３２と噛み合っている。そして、駆動源１５がさらに２段ギア２０をＦ方向に回転駆動すると、伝達ギア３２が回転し、伝達ギア３２に接続されるギア列（伝達手段）によって原稿搬送ユニット５１へ駆動力が伝達される。なお、図９（ａ）〜（ｃ）の画像読取部１０の位置では、図中上側の切換機構４０と突起１７、１８は相互に作用しておらず、状態変化は発生しない。
【００４９】
ここで、駆動源１５を反対方向に回転し、伝達ギア３２をＧ方向に回転駆動すると、図９（ａ）の待機位置へ画像読取部１０が移動する。画像読取部１０が待機位置に戻り切るときには、上記と反対の動作で図中下側の切換機構４０と突起１８が相互に作用し、ロータ４２が６０°回転し、図９（ａ）の状態となる。原稿搬送ユニット５１へ伝達する駆動力が一方向のみの回転しか必要でない場合、つまり原稿を一方向にのみ搬送する場合には、図９（ａ）〜（ｃ）の動作を繰り返すこととなる。
【００５０】
次に、原稿搬送ユニット５１へ伝達する駆動力が両方向の回転を必要とする場合の動作について説明する。
【００５１】
まず、図９（ａ）で画像読取部１０を待機位置から、図９（ｃ）の位置まで移動させる。すなわち図中下側の切換機構４０を一回動作（ロータ４２が６０°回転）させるように画像読取部１０を移動させる。次に、駆動源１５を反対方向に回転し、伝達ギア３２をＧ方向に回転駆動し、図９（ｄ）の下側の切換機構４０のスイッチ部材４１の中心に突起１８の凸形状の頂点が位置するまで画像読取部１０をＥ方向に移動させる。
【００５２】
ここで、駆動源１５を再度逆回転し、原稿搬送ユニット５１へ駆動力を伝達する所定の駆動力伝達位置の方向へ画像読取部１０を移動させると、図中下側の切換機構４０に二回目の動作をさせることができる。図９（ｅ）では、図９（ａ）の状態から図中下側の切換機構４０を二回動作させ、かつ、画像読取部１０の突起１８の凸形状の頂点が切換機構４０のスイッチ部材４１の中心より左側に位置している。このとき、図中下側の切換機構４０のロータ４２の突起４２ｂと画像読取部１０の突起１７は係合しない位置関係となって、画像読取部１０のＤ方向への移動が許可される。これによって、２段ギア２０が伝達ギア３２に噛み合った後に、伝達ギア３２の左側に形成されたラック３１に噛み合う。すなわち、図９（ｆ）に示すように、画像読取部１０が原稿搬送ユニット５１への駆動力伝達位置（図９（ｅ））よりも左側に位置する。
【００５３】
なお、切換機構４０を二回動作させ、画像読取部１０を図９（ｆ）の位置に移動させるには、上述した動作以外に、画像読取部１０を図９（ａ）から（ｂ）まで移動した後、図９（ａ）の位置に一旦戻してから、図９（ｅ）まで移動させる方法もある。
【００５４】
上述した図９（ａ）から（ｅ）までは図中上側の突起１８は切換機構４０を動作させる位置関係とはならないために、切換機構４０のロータ４２の突起４２ｂは突起１７と係合しない状態が継続している。図９（ｆ）において、図中上側の切換機構４０と突起１８が初めて作用し合う関係となる。
【００５５】
２段ギア２０をＦ方向に回転駆動させて画像読取部１０を図９（ｆ）の位置まで移動させた後、２段ギア２０をＧ方向に逆回転させ、図１０（ｇ）の位置まで画像読取部１０を移動させる。この場合、図中上側の切換機構４０は一回動作し、突起１７とロータ４２の突起４２ｂが係合する位置関係となる。この状態で、２段ギア２０をＧ方向に回転すると、前述の図９（ｃ）とは反対方向の回転駆動力を原稿搬送ユニット５１に伝達することができる。
【００５６】
最後に、図１０（ｇ）の状態から図９（ａ）の初期の待機位置に戻るまでの動作について説明する。
【００５７】
図１０（ｇ）の状態から、２段ギア２０をＦ方向に回転させ、図１０（ｈ）の状態となった後、２段ギア２０をＧ方向に回転させると、図中上側の切換機構４０を一回動作させることができる。これによって、図中上側の突起１７とロータ４２の突起４２ｂが係合しない位置関係となるので、画像読取部１０を図１０（ｉ）から図１０（ｊ）へ移動させることができる。図１０（ｊ）では、画像読取部１０の２段ギア２０が再び伝達ギア３２の右側のラック３１と噛み合う位置関係となる。ここで、２段ギア２０をＦ方向に回転させ、画像読取部１０を図１０（ｋ）の位置に移動させると、図中下側の切換機構４０が一回動作する。その後再び、Ｇ方向に２段ギア２０を回転させ、画像読取部１０を図１０（ｌ）の位置を経て図９（ａ）の位置に移動させると、図中下側の切換機構４０が一回動作して、図９（ａ）の状態に戻る。
【００５８】
以上説明したように、本実施形態によれば、一対の切換機構を画像読取部の長手方向両端部に配置し、画像読取部を長手方向と直交する方向に所定の手順で移動させることで、ＦＢＳの画像読取領域の双方向への移動とＳＴＳの双方向への原稿搬送を行える。
【図１】
2014023061.tif 000003
【図２】
2014023061.tif 000004
【図３】
2014023061.tif 000005
【図４】
2014023061.tif 000006
【図５】
2014023061.tif 000007
【図６】
2014023061.tif 000008
【図７】
2014023061.tif 000009
【図８】
2014023061.tif 000010
【図９】
2014023061.tif 000011
【図１０】
2014023061.tif 000012
【図１１】
2014023061.tif 000013